(57)【特許請求の範囲】
【請求項１】
四角形状シートの一対の対向辺と平行に二つの折り部を設け、一方の折り部は開封用ミシン目を兼ねる折り部であり、前記シートを前記各折り部で折り重ねたときに重なり合う前記各折り部と直交する一対の対向辺に沿った対接予定部分と、前記各折り部と平行な一対の対向辺のうち後で折る折り部側の辺に沿った部分及びこれに重なり合う部分である対接予定部分とに、それぞれ封着用の接着部を設け、前記開封用ミシン目を兼ねる折り部の少なくとも一端側に設けた接着部をほぼ３分の1の範囲にわたって切り取るための切り用ミシン目を設け、この切り取る部分の前記接着部分に、強度補強用の樹脂を含浸したことを特徴とする折り畳み封書用シート。
【請求項２】
四角形状シートを折り部で折り重ね、折り部と直交する一対の対向辺に沿った対接部分と、前記折り部と平行な一対の対向辺で表出している辺に沿った対接部分とを接着剤で封着し、折り部の少なくとも一つは開封用ミシン目からなり、この開封用ミシン目を兼ねる折り部の少なくとも一端側には、前記封着部分のほぼ３分の1を切り取るための切り用ミシン目を設け、この切り取る部分の前記接着部分に、強度補強用の樹脂を含浸したことを特徴とする折り畳み封書。
【請求項３】
封着部分のほぼ３分の1を切り取るための切り用ミシン目は、シートが三重に重ね合わされてなる封着部分に設けられていることを特徴とする請求項２記載の折り畳み封書。
【発明の詳細な説明】
【０００１】
【産業上の利用分野】
本発明は、折り畳んで内部に書簡や、印刷物などの収容物を収容した封書とする折り畳み封書用シート及び折り畳み封書に関する。
【０００２】
【従来の技術】
従来の折り畳み封書用シートを用いた封書は、三辺に沿って設けた開封用ミシン目を破断してこの三辺縁を切り取ったり、一辺に平行に設けた二条の開封用ミシン目を破断して帯状に切り取って、開封するよう構成しているのが一般的である。
【０００３】
【発明が解決しようとする課題】
このため、従来にあっては、開封に際して切り取った部分は、単に廃棄物となるだけで有効活用できないという不都合があった。本発明は、この不都合を解消することを目的とする。
【０００４】
【課題を解決するための手段】
この目的を達成するために本発明の請求項１に係る折り畳み封書用シートは、四角形状シートの一対の対向辺と平行に二つの折り部を設け、一方の折り部は開封用ミシン目を兼ねる折り部であり、前記シートを前記各折り部で折り重ねたときに重なり合う前記各折り部と直交する一対の対向辺に沿った対接予定部分と、前記各折り部と平行な一対の対向辺のうち後で折る折り部側の辺に沿った部分及びこれに重なり合う部分である対接予定部分とに、それぞれ封着用の接着部を設け、前記開封用ミシン目を兼ねる折り部の少なくとも一端側に設けた接着部をほぼ３分の1の範囲にわたって切り取るための切り用ミシン目を設け、この切り取る部分の前記接着部分に、強度補強用の樹脂を含浸したものである。
【０００５】
また、本発明の請求項２に係る折り畳み封書は、四角形状のシートを折り部で折り重ね、折り部と直交する一対の対向辺に沿った対接部分と、前記折り部と平行な一対の対向辺で表出している辺に沿った対接部分とを接着剤で封着し、折り部の少なくとも一つは開封用ミシン目からなり、この開封用ミシン目を兼ねる折り部の少なくとも一端側には、前記封着部分の一部を切り取るための、例えばＬ字状の切り用ミシン目を設け、また、この開封用ミシン目を兼ねる折り部の少なくとも一端側には、前記封着部分のほぼ３分の1を切り取るための切り用ミシン目を設け、この切り取る部分の前記接着部分に、強度補強用の樹脂を含浸したものである。そして、封着部分を切り取ると、前記切り用ミシン目がＬ字状の場合には四角形状に開口される一方、切り取った部分はペーパーナイフとして使用可能であり、この切り取った部分を前記開口から差し込んで開封用ミシン目を破断し、開封することができる。
【０００６】
本発明の請求項３に係る折り畳み封書は、上記折り畳み封書の構成において、封着部分のほぼ３分の1を切り取るための切り用ミシン目を、シートが三重に重なってなる、換言すると、３枚の紙片が重なってなる封着部分に設けたことを特徴とするものである。すなわち、この場合の折り畳み封書は、シートを三つ折りしてなる封書である。
【０００７】
【発明の実施の形態】
以下、本発明を三つ折り封書用シート及びこのシートからなる封書に適用した場合の好適な実施形態を添付図面に基づいて詳細に説明する。ここにおいて、図１はシートの内面側を示す概略的な平面図、図２はシートの外面側を示す概略的な平面図、図３は開封用ミシン目を兼ねる第１折り部で折り重ねた状態を示す概略的な平面図、図４はさらに第２折り部で折り重ねて封書とした状態の概略的な平面図、図５は第１折り部の一端側の封着部を切り取って開口した状態を示す斜視図である。
【０００８】
図１及び図２に示すように、折り畳み封書用シート１は、長方形状で、一対の対向辺である短辺１ａ，１ｂと平行に、開封用ミシン目を兼ねる第１折り部２と第２折り部３を設けている。第２折り部３はあらかじめ決定された折り予定部であって、ミシン目や指示線などで明示されていないので、仮想線で図示している。前記第１折り部２と前記第２折り部３との間隔は、前記第２折り部３からこの折り部３側の短辺１ａまでの間隔とほぼ等しく設定する一方、前記第１折り部２からこの折り部２側の短辺１ｂまでの間隔は、前記間隔のほぼ３分の１に設定している。
【０００９】
図１に示す、折り畳み封書用シート１を折り畳む際の内面側には、第２折り部３側の短辺１ａに沿った部分と、これと直交する一対の対向辺である長辺１ｃ，１ｄにそれぞれ沿った部分とに、剥離困難な接着剤を帯状に塗布する予定のコ字状に伸びる封着用の接着部４ａ，４ｂ，４ｃを設けている。また、前記各接着部４ａ，４ｂの内側に沿って、第１折り部２に対して対称的に伸びる切り用ミシン目５ａ，５ｂを前記第１折り部２から短辺１ｂまでの長さと等しくそれぞれ設け、同様に前記第１折り部２から前記短辺１ｂ迄の長さと等しく、短辺１ａから第２折り部３に向けて切り用ミシン目５ｃ，５ｄを設けている。そして、各切り用ミシン目５ａ，５ｂ，５ｃ，５ｄの第２折り部３側端は、対応する長辺１ｃ，１ｄに至るよう直角に伸びて、全体としてはＬ字状になっている。
【００１０】
一方、図２に示す、折り畳み封書用シート１を折り畳む際の外面側には、第１折り部２に沿った短辺１ｂ側の部分に剥離困難な接着剤を帯状に塗布する予定の接着部４ｄを設けている。また、この外面側の前記各折り部２，３に挟まれた部分が宛名表示面となっている。この宛名表示面は、当初、何らの情報も表示されない白紙状態にある。さらに、短辺１ａに沿って、図では必ずしも明確ではないが、「切り取ってペーパーナイフとしてミシン目を破断開封して下さい」という文と各切り用ミシン目５ｃ，５ｄに向けた矢印からなる説明文６をあらかじめ印刷してある。なお、折り畳んだ際に重なり合う対接予定部分は、接着部４ａ、接着部４ｂ、接着部４ｃと接着部４ｄの３箇所になる。
【００１１】
続いて、上述した折り畳み封書用シート１を用いて形成する封書について説明する。まず、図２に示すように、折り畳み封書用シート１の宛名表示面に適宜なプリンタで宛名情報７を印字した後、図１に示すように、一対の長辺１ｃ，１ｄ及び短辺１ａに沿って接着部４ａ，４ｂ，４ｃを設けた面を内側にし、これら接着部４ａ，４ｂ，４ｃにホットメルト型接着剤を塗布したうえ、図３に示すように、第１折り部２でこの折り部２から短辺１ｂ側を折り重ね、長辺１ｃ，１ｄに沿った各接着部４ａ，４ｂ同士で重なった部分である対接部分を剥離困難に接着する。この折り重ねの前後に、シート１の内面側の第１折り部２と第２折り部３との間に収容物、例えば書簡Ｌ（図３に仮想線で図示）を載置する。
【００１２】
次に、この図３図示状態で接着部４ｄにホットメルト型接着剤を塗布したうえ、第２折り部３でこの折り部３から短辺１ａ側にさらに折り重ねて、各長辺１ｃ，１ｄに沿った各接着部４ａ，４ｂ同士で重なった部分及び第１折り部２と短辺１ａに沿った各接着部４ｃ，４ｄの対接部分を剥離困難に接着して封着し、図４に示す封書８とする。この時、切り用ミシン目５ａと５ｃ、及び切り用ミシン目５ｂと５ｄとが、互いに重なり合った状態となり、これら切り用ミシン目５ａ，５ｂ，５ｃ，５ｄで囲まれた、シートが三重に重なった部分がペーパーナイフ部９ａ，９ｂとなる。なお、このペーパーナイフ部９ａ，９ｂに対応する部分に、強度補強用の樹脂を含浸しておくとより好適である。
【００１３】
次に、上述の如く構成した封書８の開封手順について説明する。まず、図４図示状態において、各切り用ミシン目５ａ，５ｃまたは５ｂ，５ｄのいずれか一方側、例えば５ａ，５ｃ側を切断し、切り取った３枚の紙片が接着されてなるペーパーナイフ部９（図５参照）を、一般のペーパーナイフと同様に、開口部分に差し込んで開封用ミシン目２を破断し、開封する。これによって、収容していた書簡Ｌを取り出すことができるが、一端側に四角形状に切り取った開口部分があるので、この取り出しを容易に行うことができる。
【００１４】
なお、本発明は上述した実施形態に限定されるものではなく、例えば、折り畳み封書用シート１は、第１折り部２と第２折り部３とによって、３等分されるものであってもよい。また、開封用ミシン目からなる第１折り部２によって二つ折りされる二つ折りシートでもよい。この二つ折りシートを用いる場合にはペーパーナイフ部に対応する部分に強度補強用の樹脂を含浸することが望ましい。さらに、封着用の接着部４ａ，４ｂ，４ｃには、通常では接着せず所定以上の圧を加えると接着可能となる、剥離困難な感圧性接着剤をあらかじめ帯状に塗布しておいてもよい。
【００１５】
【発明の効果】
以上説明したところで明らかなように、本願の請求項１の折り畳み封書用シートによれば、各折り部で三つ折りすることにより、はさみ、ペーパーナイフなどの開封用具を別途用意しなくても、本シートから形成した封書において、開封用ミシン目を兼ねる折り部から封着部分のほぼ３分の１に達する強度を補強した切り取り部分を形成し得るようなしたので、開封時に前記切り取り部分を前記開封用ミシン目を兼ねる折り部破断用のペーパーナイフとして使用することが可能で、開封が容易な封書を形成できるという効果を奏する。
【００１６】
また、本願請求項２の折り畳み封書によれば、開封時に開封用ミシン目を兼ねる折り部から封着部分のほぼ３分の１に達する強度を補強した切り取り部分をペーパーナイフとして使用でき、開封が容易であるとともに、収容物の取り出しも容易であり、さらには、封書の折り部を開封するので、開封した封書の見栄えもよいという効果を奏する。
【００１７】
さらに、本願請求項３の折り畳み封書によれば、開封時に使用するペーパーナイフ部は、三重に重なり合って３枚の紙片が接着されてなるので、良好な開封作業を行うことができるという効果を奏する。
【図面の簡単な説明】
【図１】  折り畳み封書用シートの内面側を示す概略的な平面図。
【図２】  折り畳み封書用シートの外面側を示す概略的な平面図。
【図３】  第１折り部で折り重ねた状態を示す概略的な平面図。
【図４】  封書とした状態の概略的な平面図。
【図５】  第１折り部の一端側の封着部を切り取って開口した状態を示す斜視図。
【符号の説明】
１      折り畳み封書用シート
１ａ，１ｂ      短辺
１ｃ，１ｄ      長辺
２      第１折り部
３      第２折り部
４ａ，４ｂ，４ｃ，４ｄ      接着部
５ａ，５ｂ，５ｃ，５ｄ      切り用ミシン目
８      封書
９ａ，９ｂ      ペーパーナイフ部
【図１】
0004190202.tif 000002
【図２】
0004190202.tif 000003
【図３】
0004190202.tif 000004
【図４】
0004190202.tif 000005
【図５】
0004190202.tif 000006